(57)【特許請求の範囲】
【請求項１】
打上げ機に固定することができ、同一の形状と寸法を有する少なくとも２つの位置が設けられ、前記位置の各々が衛星を受け入れるように構成されているマストと、同一のインタフェース部材であって、夫々が、１基の衛星を該インタフェース部材に装着し、かつこれから分離することを可能にする固定解放手段（３０）を備えているインタフェース部材と、各インタフェース部材を前記位置のうち任意の位置に装着できる取外し可能固定手段とを備えていることを特徴とする、打上げ機用の複数衛星ディストリビュータ。
【請求項２】
衛星をインタフェース部材に装着したときに、取外し可能固定手段がマストの外部からアクセスできることを特徴とする、請求項１に記載のディストリビュータ。
【請求項３】
取外し可能固定手段がインタフェース部材に取り付けられた衛星に関して突出しているインタフェース部材の部分に装着されたネジを備えていることを特徴とする、請求項２に記載のディストリビュータ。
【請求項４】
取外し可能固定手段が、ネジの各々の近傍に配置された相補的な固定機構も含んでいることを特徴とする、請求項３に記載のディストリビュータ。
【請求項５】
前記位置の各々が矩形であり、インタフェース部材の各々は固定解放手段を支持する４つの山形プレートを備えた矩形フレームを有していることを特徴とする、請求項３に記載のディストリビュータ。
【請求項６】
インタフェース部材の前記突出部分が山形プレートに形成されていることを特徴とする、請求項５に記載のディストリビュータ。
【請求項７】
インタフェース部材の各々が、位置へのインタフェース部材の装着中に、固定解放手段を打上げ機の電源に電気的に接続できる少なくとも１個の第１のコネクタを含んでいることを特徴とする、請求項１に記載のディストリビュータ。
【請求項８】
インタフェース部材の各々が、インタフェース部材の衛星および位置への装着中に、少なくとも１個の第２のコネクタと少なくとも１個の第３のコネクタによって打上げ機および衛星の電気施設を電気的に接続できる少なくとも１本の導電体を含んでいることを特徴とする、請求項１に記載のディストリビュータ。
【請求項９】
マストが、打上げ機の長手方向軸に沿って配置されて、かつほぼ多角形の断面を有しており、前記マストは少なくとも３つの面を有し、前記面の各々は衛星を受け入れるように構成された少なくとも１つの位置を含むことを特徴とする、請求項１に記載のディストリビュータ。
【発明の詳細な説明】
【０００１】
【産業上の利用分野】
打上げ機に装着し、該打上げ機の助けを借りて数個の人工衛星を軌道に投入できるようにするための複数衛星ディストリビュータに関する。
【０００２】
【従来の技術】
このような装置の好ましい用途は、数個の同一の人工衛星を軌道に投入することを必要とする計画におけるものである。しかしながら、異なる衛星であるが、比較的近い形状、単位質量および慣性寸法を有する衛星を軌道に射出するのにも使用できる。
【０００３】
当初、各衛星を軌道に投入するには異なる打上げ機を使用しなければならなかった。ここ数年の間に、技術的な進歩によって、打上げ機の容量を増やすことができるようになったのに対し、人工衛星の重量はその性能特性ほど急速には増加しなかった。したがって、ある種の打上げ機では、同じ飛行で少なくとも２基の人工衛星を同時に打ち上げることが可能となっており、これは各衛星を軌道に投入するコストの相当程度の削減につながる。
【０００４】
【発明が解決しようとする課題】
実際問題として、同一の打上げ機の助けを借りて２基の人工衛星を打ち上げるためのこれまでの方法は、単一の衛星を打ち上げるためにそれまで使用されていた方法から直接導き出されたものであった。したがって、第１の衛星は一般に先端を切ったコーン型のアダプタの助けを借りて打上げ機の端部に装着され、第２の衛星は第１の衛星を包囲しており、打上げ機に直接載せられた支持構造体上におかれる。単一のノーズ・コーンは衛星対又は上部ペイロードを保護でき、底部ペイロードはこれを包囲する他の衛星の支持構造体によって保護される。
【０００５】
打上げ機に衛星を統合するこの方法は、衛星の数が３基を超えると事実上使用不可能となる。さらに、衛星放出順序を不可逆的に課するものであり、これは打上げ機への衛星の装着順序と逆のものでなければならない。
【０００６】
同一の打上げ機の助けを借りて衛星のクラスタを打ち上げるために、他の各種の装置が考えられている。これらの装置のうちのいくつかは４基以上の衛星の打ち上げをもくろむものであるが、これらは依然複雑なものであって、一般に衛星に打ち上げ順序を課するものであり、また当初計画されていた打上げ機の打上げを通常受け入れられる限度以上に遅らせなければならなくなった場合に、特に、計画の変更が行えないものである。
【０００７】
【課題を解決するための手段】
本発明は複数衛星ディストリビュータを目的とするものであって、その本来の設計によって、同一の打上げ機が衛星のクラスタを軌道に投入することを可能とし、衛星の数は打上げ機のノーズ・コーン内で利用できるスペースおよび目的とする軌道での打上げ機の性能特性によってのみ決定されるものであり、該装置は障害によりで当初予定されていた打上げ機の打上げ日が遅れた場合であっても、同じ衛星を同一または異なるタイプの任意の打上げ機にきわめて短時間に装着できるような態様で設計されている。
【０００８】
本発明によれば、この結果は、打上げ機に固定することができ、各々が衛星を受け入れることのできる少なくとも２つの同一の位置を有しているマストと、同一のインタフェース部材であって、１基の衛星を該インタフェース部材に装着し、これから分離する固定解放手段を備えているインタフェース部材と、各インタフェース部材を前記位置のうち任意の位置に装着できる取外し可能固定手段とを有していることを特徴とする、打上げ機用の複数衛星ディストリビュータによって達成される。
【０００９】
数基の打上げ機が該打上げ機の特性に応じた多数の位置または場所を有するマストを備えている場合、衛星にあらかじめ取り付けられている交換可能なインタフェース部材の助けを借りて、マストのいずれかに衛星を装着することが可能となる。
【００１０】
本発明の好ましい実施例において、衛星がインタフェース部材に取り付けられている時、取外し可能固定手段にはマストの外部からアクセス可能である。この特徴によって、マストの部分がどのようなものであっても、また、特に、該部分または他の理由によって、介入要員がマスト内で作業できないときに、任意の数の衛星をマストに装着できるようになる。
【００１１】
取外し可能固定部材は、特に、インタフェース部材に取り付けられた衛星に関して突出しているインタフェース部材の一部に装着されたネジからなっている。任意選択で、該ネジをネジの各々の近傍に配置された相補的な固定機構によって補うことができる。
【００１２】
例示する態様において、衛星を受け入れることのできる位置の各々は矩形であり、インタフェース部材の各々は固定解放手段を支持する４つの山形プレートを備えた矩形フレームを有している。マストの位置のうち任意の位置にインタフェース部材を取外し可能に固定するために使用されるネジが装着されているインタフェース部材の突出部分を、山形プレートに形成するのが有利である。
【００１３】
本発明の好ましい実施例において、マストには打上げ機とインタフェース部材の間での情報および／または命令の伝送を確保する電気配線および／または火工技術を用いた配線が組み込まれている。インタフェース部材の各々が該配線を受け入れ、情報および／または命令がこれらに関連しているのか（主として、衛星の放出を行うための）、あるいは衛星に関するものであるのか（この場合、１つまたは複数のインタフェース・コネクタを介して伝送される）の機能として、配線を延伸し、分岐する。
【００１４】
マストが打上げ機の長手方向軸にしたがって配置されており、各々が少なくとも１つの位置を有している少なくとも３つの主面を規定するほぼ多角形の断面を有しているのが有利である。
【００１５】
本発明を限定的ではない実施例および添付図面について以下で詳細に説明する。
【００１６】
【実施例】
図１は同一寸法またはきわめて類似した寸法の６基の衛星１２のクラスタを軌道に投入するのに必要な打上げ機の最上段１０の略図である。衛星１２は本発明による複数衛星ディストリビュータ１４によって最上段１０に装着される。衛星１２およびディストリビュータ１４によって構成されているアセンブリは、最上段１０の外側エンベロープの上端に固定されたノーズ・コーン１６内に配置されている。
【００１７】
本発明による複数衛星ディストリビュータ１４は本質的に、マスト１８およびインタフェース部材２０によって構成されている。マスト１８を最上段１０の構造体の上端に固定するアダプタ２２も有している。
【００１８】
マスト１８は打上げ機の長手方向軸に沿って配置されるように、アダプタ２２に取り付けられている。一方において図２Ａおよび図２Ｂ、他方において図３Ａおよび図３Ｂに示すように、マスト１８の断面形状は、打上げ機のノーズ・コーン１６の下方に収納することのできる衛星１２の数によって決定される。
【００１９】
それ故、図２Ａに示すように、同一水平面に収納できる衛星１２の数が３基だけの場合、マスト１４の断面は隅が切り取られた正三角形状である。この場合、マスト１４は等しい幅で、同じ高さの３つの平坦な外部取付けないし固定面２４（図２Ｂ）を有している。図２Ｂで斜視図で示されている実施例において、固定面２４の各々は２つの重なり合った同一の位置２５を規定し、これらの各々にインタフェース部材２０によって衛星１２を固定することができる。それ故、この複数衛星ディストリビュータを備えた打上げ機は、最大６基の衛星を軌道に投入することができる。
【００２０】
図３Ａに示すように、ノーズ・コーン１６の直径が同一レベルに４基の衛星１２を収納できるものである場合、マスト１４は断面において隅が切り取られた正方形の外形を有している。この場合、マスト１４は等しい幅で、同じ高さの４つの平坦な外部固定面２４を有している。図３Ｂに示した実施例において、４つの取付け面２４の各々は３つの重なり合った位置２５を規定し、これらの各々にインタフェース部材２０の１つによって衛星１２を固定できる。この複数衛星ディストリビュータを備えた打上げ機は、最大１２基の衛星を軌道に投入できる。
【００２１】
打上げ機とマスト１８の間のインタフェースとして働くアダプタ２２はマスト１８の頂点に当初固定される打上げ機の固有の剛性構造を構成する。
【００２２】
図２Ｂおよび図３Ｂに示すように、マスト１４が該マストによって断面で形成される正多角形の面の数、ならびに外部取付け面２４の各々にもうけられる位置２５の数に関して、打上げ機に固有のものである場合、該位置２５はすべて互いに同一のものである。したがって、インタフェース部材２０を備えた衛星１２をこれらの位置のうち任意の位置に装着することができる。換言すれば、マスト１８の異なる面２４に形成された位置２５が同一であることによって、任意の衛星１２を該位置のいずれかに、すなわち、所与のマスト１８の位置２５のうち任意の位置、および同一タイプまたは異なるタイプのいずれであってもよい打上げ機に装備される異なるマスト１８に属する位置の両方に装着できるようになる。
【００２３】
位置２５の範囲内で、マスト１８の面２４が機械的および電気的に標準的な性質のものであることに留意するのも重要である。これによって、適切な形状のくさび形要素を使用して組み立てることによって、三角形、正方形および同様な断面を有するマストを得ることが可能となる。
【００２４】
本発明の複数衛星ディストリビュータに使用上の高い融通性を与える衛星１２の互換性を完全なものとするためには、位置２５のうち任意の位置に各衛星１２を装着することのできるインタフェース部材２０がすべて同一のものであり、かつ該位置２５を補うものであることを維持するのが重要である。したがって、インタフェース部材２０に装着された衛星１２を位置２５のうち任意の位置に収容することができる。
【００２５】
マスト１８の面２４の各々に規定された位置２５は矩形である。この形状および対応する寸法は、各衛星１２をディストリビュータに固定する平坦面１３（図４）のものと類似している。
【００２６】
図４に示した実施例において、インタフェース部材２０の各々は主として、矩形のフレーム２６からなっており、このフレームはその角の各々において山形プレート２８を支持している。山形プレート２８の各々は衛星１２をインタフェース部材２０に固定し、その分離を制御するために使用される固定解放手段３０、ならびにインタフェース部材２０をマスト１８に固定するために使用される取外し可能固定手段３２を支持している。
【００２７】
図５および図６にさらに詳細に示すように、山形プレート２８によって担持されている固定解放手段３０の各々は、図示の実施例において、火工技術を用いたボルト・タイプ（ｐｙｒｏｔｅｃｈｎｉｃ  ｂｏｌｔ−ｔｙｐｅ）の固定機構３４（その他の任意の方法も使用できるが）およびバネ装備分離機構３６を有している。これら２つの機構３４および３６は山形プレート２８の各々に恒久的に装着されている。
【００２８】
非限定的な例示の態様において、火工技術を用いたボルト固定機構３４はフランス国特許第ＦＲ−Ａ−２  ６６１  ４６６号にしたがって構成することができる。これによって、火工技術を用いたボルト３４Ａの助けを借りて、衛星１２をインタフェース部材２０に暫定的に固定することが可能となる。該インタフェース部材２０に固定されている衛星１２を解放しようとするときには、４個の固定機構３４を制御して、４本の火工式ボルト３４Ａを同時に破壊する。
【００２９】
４本の火工式ボルト３４Ａの破壊が同時に行われるようにするため、４個の機構３４をフレーム２６に沿って通されているディトネーション・チェイン３８（図５）によって相互連結することができる。ディトネーション・チェイン３８の各端部には、ディトネータ４０が設けられており、該ディトネータのいずれかに着火すると、衛星１２を問題のインタフェース部材２０に装着している４本の火工式ボルト３４Ａの同時破砕ないし破壊がもたらされるようになっている。２個のディトネータ４０が存在していることによって、制御の冗長性が確保できる。ディトネータ４０の各々は導電体４２によって、個別の電気コネクタ４４に接続されており、インタフェース部材２０が任意の位置２５に固定されたときに、該コネクタは電源に接続されている打上げ機の電源ラインに自動的に接続される。爆発ボルトあるいはアンロック装置も、該ボルトまたはアンロック装置に固定された火工式起爆薬に並列に到着する４つの電気命令によって同時に活動化できる。
【００３０】
さらに、分離機構３６によって、衛星１２をインタフェース部材２０に接続している４本の火工式ボルト３４Ａが破壊されたときに、衛星１２を射出することが可能となる。インタフェース部材２０が固定機構３４によって衛星１２に固定されていないときに、図示されていない暫定ロック装置が通常、バネ３６Ａの各々を圧縮状態に維持している。この固定が行われると同時に、バネ３６Ａに対するロック装置が解放される。
【００３１】
衛星１２を担持しているいずれかのインタフェース部材２０をマスト１８の任意の位置２５に固定できる取外し可能固定手段３２は、マスト外部からの該固定が行えるように設計されている。この特性によって、特にマストの内部寸法又はその他の理由から操作員が中へ入れない場合に、マストへの衛星の装着が容易となる。
【００３２】
このため、図６に示すように、インタフェース部材２０の各々の矩形フレーム２６の高さは、固定解放手段３０によって該インタフェース部材２０が取り付けられる衛星１２の面１２Ａの高さよりも若干高くなっている。したがって、該装着が行われると、フレーム２６は各端部において、これが取り付けられる衛星１２の輪郭から数センチメートルだけ突出する。それ故、山形プレート２８も衛星１２の輪郭から突出する部分を有している。
【００３３】
図５および図６に示す実施例において、衛星１２を担持しているインタフェース部材２０をマスト１８の位置２５の１つに固定することのできる取外し可能固定手段は、衛星１２の輪郭から突出している山形プレート２８の部分に該山形プレートの各々に取り付けられたネジ３２を備えている。これらのネジ３２はインタフェース部材によって担持されている係留ネジであっても、インタフェース部材から独立しているネジであってもよい。インタフェース部材２０がマスト１８の位置２５の１つの正面に配置された場合、ネジ３２の各々はマスト１８の対応する面２４に形成されたネジ孔４６に直面する。
【００３４】
任意選択で、マスト１８の希望する位置２５の正面でのインタフェース部材２０の位置決めを、インタフェース部材２０が衛星１２に取り付けられたときに、外部に向かって突出する、すなわちフレーム２６の上部および下部分岐上にくる心出しおよびガイド・ピン４８（図４および図５）を設けることによって容易にすることができる。インタフェース部材２０が位置２５の正面におかれたとき、ピン４８はその面に形成された図示されていない孔の前におかれる。ピン４８の流線型の端部は部材２０の心出しを容易とする。
【００３５】
図６にさらに詳細に示すように、ネジ３２を使用して、面２４に形成された位置２５の各々へのインタフェース部材２０の固定中に、機構３４および３６の通過を可能とするために、開口５０がマスト１８の面２４に形成されている。
【００３６】
ネジ３２の助けを借りたマスト１８へのインタフェース部材２０の固定を、適宜、図６に略示するような相補的な固定機構によって完成することができる。
【００３７】
図示の実施例において、これらの相補的固定機構はネジ３２の位置に近い位置で山形プレート２８の各々に固定され、ただし、たとえば、該ネジに関して外下方に変位されたフィンガ５２を備えている。インタフェース部材２０が衛星１２に装着されたときに、フィンガ５２は外部へ向かって突出する。フィンガ５２、火工式ボルト３４Ａおよびネジ３２は、衛星構造へのモーメントの経路を制限するように整合されている。
【００３８】
衛星１２およびインタフェース部材２０によって構成されるアセンブリを、ネジ３２の助けを借りてマスト１８の位置のうち任意の位置に固定することによって、打上げ機に統合した場合、フィンガ５２はマスト１８の対応する面２４に形成された孔５４、およびマスト１８によって摺動的に支持されている引っ張りノブ５８に形成された同じ直径の孔５６に進入する。インタフェース部材２０のマスト１８の対応する面２４への固定が完了したときに、フィンガ５２の各々の小直径領域６０は対応する引っ張りノブ５８に直面する。操作員はこの場合、マスト１８の外部からアクセス可能な各引っ張りノブ５８の図示していない操作部材を操作して、該引っ張りノブを図６の矢印Ｆの方向へ摺動させる。それ故、操作員は引っ張りノブのスリット６２を、フィンガ５２の小直径領域６０の前部にある孔５６に入れる。この操作の場合、操作員はスプリング・ワッシャ６３が載っている引っ張りノブ５８の側面６４によって、スプリング・ワッシャ６３を圧縮する。それ故、プレストレスが接続部に導入される。次いで、引っ張りノブ５８はフィンガ５２の端部に載り、インタフェース部材２０のマスト１８の対応する面２４への相補的固定を確実なものとする。図示しないボルトが引っ張りノブ６２をこの位置に維持する。
【００３９】
たとえば、フレーム２６の垂直分岐に沿って通っている同じ引っ張りノブ５８を使用して、同一のインタフェース部材２０の２つのフィンガ５２を同時にロックすることができることに留意すべきである。マストの外部から２つの引っ張りノブ５８を制御することによって、このようにして形成された相補的な固定機構が確実にロックされる。
【００４０】
打上げ機への衛星１２の統合が上述の手段によって行われたら、異なる情報を衛星と打上げ機の間で電気信号の形態で伝送しなければならない。
【００４１】
この情報の転送を確実に行うために、インタフェース部材２０の各々は少なくとも１本の導電体６４（図５）、ならびに固定解放手段３０および取外し可能固定手段３２がそれぞれ、衛星１２をインタフェース部材２０に装着し、かつインタフェース部材２０をマスト１８に装着するために使用されている場合に、該導電体６４の端部をそれぞれ衛星１２及び打上げ機の電気施設に接続するコネクタ６６、６８を支持している。
【００４２】
上記の説明は本発明による複数衛星ディストリビュータがきわめて単純で廉価な装置を構成し、この装置が予めインタフェース部材に取り付けられている異なる衛星を、打上げ機が同一タイプであるか否かに関わりなく、打上げ機に装備された同一のマスト１８または異なるマストの任意の位置２５に迅速にかつ可逆的に統合できるようにすることを示している。同一のインタフェース部材２０と、打上げ機に適合し、インタフェース部材と相補的な同一の位置２５を備えたマスト１８とを組み合わせて使用することによって、このモジュール性ないし互換性がもたらされる。さらに、本発明による複数衛星ディストリビュータによって、該ディストリビュータに装着された衛星を任意の順序で放出することが可能となる。
【００４３】
本発明による複数ディストリビュータの助けを借りた打上げ機への衛星のクラスタの統合について、図７に関して説明する。
【００４４】
衛星をディストリビュータに装着する場合、ディストリビュータは一般に、その長手方向軸を水平にして組立台上におかれる。場合によっては、ディストリビュータはアダプタ２２を介して最上段１０に固定済みであってもよく、この場合には、最上段およびその支持部材は組立台として働く（図７の段階Ａ）。
【００４５】
これとは無関係に、図７のＢで示すように、インタフェース部材２０を固定手段３４の助けを借りて、作業対象の衛星１２の各々に固定する。
【００４６】
これら２つの準備段階を、打上げ機への衛星の統合前の任意の時期に行えることに留意すべきである。
【００４７】
図７のＣに示すように、ネジ３２および任意選択で引っ張りノブ５８の助けを借りたマスト１８へのインタフェース部材２０の固定によってもたらされる、スリングによって供給される衛星１２のディストリビュータへの統合は、アダプタ２２の近傍にある（ただし、必須ではない）ことが好ましい位置２５へ第１の衛星１２を装着することによって開始される。
【００４８】
同様にして、第１の衛星を担持しているマスト１８の面２４にもっとも近い位置２５への他の衛星１２の統合が行われる。打上げ機の特性によって、マスト１８の面２４の各々に３つ以上の位置２５を設けられる場合には、図７のＤで示すこの段階に１つまたは複数の同様な段階が続くことができる。
【００４９】
マスト１８の第１の面２４への衛星１２の統合が完了すると、図７のＣおよびＤに示したものと同様な統合作業が、ディストリビュータを軸回転させてから、図７のＥに示すようにマスト１８の第２の面２４に関して繰り返される。
【００５０】
マスト１８の面２４の数の関数として、マスト１８の利用できるすべての位置２５が、図７のＦに示すように、衛星１２を担持するようになるまで、これらの作業が繰り返される。しかしながら、本発明による複数衛星ディストリビュータを部分的に使用する、すなわち、マスト１８のすべての利用可能位置２５を利用しないこともできることに留意すべきである。また、衛星の統合を連続したリングによって行えることにも留意すべきである。垂直においたディストリビュータを使用した衛星の統合も、理論的には、可能である。
【００５１】
さらにまた、図７のＣ、Ｄ、ＥおよびＦに示した打上げ機への衛星の統合順序が、好ましい統合順序を構成している場合、衛星の統合を場合によっては、本発明の範囲を逸脱することなく、異なる順序で行うこともできる。
【００５２】
最後に、図面を参照して説明した実施例が限定的な例を構成するものではないことにも留意すべきである。使用される打上げ機の特性の関数として、マスト１８の面２４の数を１以上の任意のものとすることができる。同様にして、これらの面の各々で利用可能な位置２５の数を、マスト１８の利用可能位置の総数が少なくとも２つであることを条件として、１以上の任意の数にすることができる。この結果、打上げ機の長手方向軸に沿ったマスト１８の構成が好ましい構成であっても、容量の小さい打上げ機に装備された本発明による複数衛星ディストリビュータは打上げ機の長手方向軸に関して横方向に変位されたマストを含んでいて、本発明の特性を有するインタフェース部材によって、前記軸に向いた面に１基または２基の衛星を装着できるようにすることができる。さらに、マストに担持された衛星に、これもインタフェース部材によって、たとえば水平であり、マスト上の支持部材に設けられた位置へ装着されている衛星を追加することができる。この支持部材は、詳細にいえば、装備済みのマストを含んでいる三方枠によって担持されている。
【００５３】
さらに、上述の実施例のインタフェース部材に与えられた矩形形状は、比限定的な例を構成するにすぎない。それ故、インタフェース部材の各々を矩形の対向する辺を具体化する２本の棒材によって、上述の形状、あるいは、マストに設けられた位置の形状が異なっている場合には、多角形、円形またはその他の形状に構成することができる。
【図面の簡単な説明】
【図１】本発明の複数衛星ディストリビュータに取り付けられた衛星のクラスタが装着されている打上げ機の上端を略示する垂直断面図である。
【図２Ａ】打上げ機ノーズ・コーンの直径が、３基の衛星を同一の水平面に収納できるようになっている、図１のＩＩ−ＩＩ線に沿った断面図である。
【図２Ｂ】図２Ａの場合の複数衛星ディストリビュータのマストを示す斜視図である。
【図３Ａ】ノーズ・コーンの直径が、４基の衛星を同一の水平面に収納できるようになっている場合を示す、図２Ａと同等な断面図である。
【図３Ｂ】図３Ａの場合の複数衛星ディストリビュータのマストを示す、図２と同等な斜視図である。
【図４】本発明による複数衛星ディストリビュータの交換可能インタフェース部材の１つを連続線で、ディストリビュータのマストに設けられている位置の１つにインタフェース部材を取り付ける前に、前記インタフェース部材に装着された衛星の輪郭を鎖線で示している分解斜視図である。
【図５】図４のインタフェース部材の上部を大縮尺で示す前面図である。
【図６】図５のＶＩ−ＶＩ線に沿った一部断面図である。
【図７】本発明の複数衛星ディストリビュータによる打上げ機への衛星のグループの装着のさまざまな段階を示す略図である。
【符号の説明】
１２  衛星
１４  ディストリビュータ
１６  ノーズ・コーン
１８  マスト
２０  インタフェース部材
２２  アダプタ
２４  固定面
３０  固定解放手段
３２  取外し可能固定手段
【図１】
0003665661.tif 000002
【図２Ａ】
0003665661.tif 000003
【図２Ｂ】
0003665661.tif 000004
【図３Ａ】
0003665661.tif 000005
【図３Ｂ】
0003665661.tif 000006
【図４】
0003665661.tif 000007
【図５】
0003665661.tif 000008
【図６】
0003665661.tif 000009
【図７】
0003665661.tif 000010